(57)【要約】  本発明の目的は、強度が高いニードルをいくらでも構成することができながらも、付着後に、刺さる感じなどが全くない一体型マイクロニードルパッチを提供することにある。  本発明による一体型マイクロニードルパッチは、皮膚刺入のためのマイクロニードル１２の配列、及び前記マイクロニードル１２の配列を支持するニードルベース１１を含むニードル部１０と、薬物又は機能性化粧品でできた有効物質を含む有効物質部３０と、前記有効物質部３０を包み込んで外部から施術後の皮膚を保護する保護パッチ層２１を含むパッチ部２０と、を備えて構成されるが、  前記有効物質部３０は、前記保護パッチ層２１を基準に、皮膚側に構成され、前記ニードルベース１１は、前記保護パッチ層２１を基準に、皮膚の反対側に構成されることにより、前記マイクロニードル１２の皮膚刺入の施術後に、前記ニードル部１０は、前記パッチ部２０から分離できることを特徴とする。
2021511082.tif 000002
【特許請求の範囲】
【請求項１】
皮膚刺入のためのマイクロニードル１２の配列、及び前記マイクロニードル１２の配列を支持するニードルベース１１を含むニードル部１０と、
薬物又は機能性化粧品でできた有効物質を含む有効物質部３０と、
前記有効物質部３０を包み込んで外部から施術後の皮膚を保護する保護パッチ層２１を含むパッチ部２０と、を備え、
前記有効物質部３０は、前記保護パッチ層２１を基準に、皮膚側に構成され、前記ニードルベース１１は、前記保護パッチ層２１を基準に、皮膚の反対側に構成されることにより、
前記マイクロニードル１２の皮膚刺入の施術後に、前記ニードル部１０は、前記パッチ部２０から分離することができ、
前記ニードルベース１１と前記保護パッチ層２１との間で介在されて前記マイクロニードル１２の配列を取り囲む形態で、前記マイクロニードル１２の配列を保護し、前記ニードル部１０を押したときに圧縮されるか又は倒れて高さが低くなる緩衝部４０をさらに含み、
前記ニードルベース１１と前記緩衝部４０を接着させる第１の接着部５１、及び
前記緩衝部４０と前記保護パッチ層２１を接着させる第２の接着部５２をさらに含み、
前記第１の接着部５１による接着力は、前記第２の接着部５２による接着力よりも強くして、上記したニードル部１０の分離時に、前記緩衝部４０がともに分離されるようにすることを特徴とする一体型マイクロニードルパッチ。
【請求項２】
前記のパッチ部２０には、
前記保護パッチ層２１の表面に、前記有効物質部３０を取り囲む位置で皮膚との粘着のために、前記保護パッチ層２１の表面に構成される粘着層をさらに含むことを特徴とする請求項１に記載の一体型マイクロニードルパッチ。
【請求項３】
皮膚刺入のためのマイクロニードル１２の配列、及び前記マイクロニードル１２の配列を支持するニードルベース１１を含むニードル部１０と、
薬物又は機能性化粧品でできた有効物質を含む有効物質部３０と、
前記有効物質部３０を包み込んで外部から施術後の皮膚を保護する保護パッチ層２１を含むパッチ部２０と、を備え、
前記有効物質部３０は、前記保護パッチ層２１を基準に、皮膚側に構成され、前記ニードルベース１１は、前記保護パッチ層２１を基準に、皮膚の反対側に構成されることにより、
前記マイクロニードル１２の皮膚刺入の施術後に、前記ニードル部１０は、前記パッチ部２０から分離することができ、
前記マイクロニードルの皮膚刺入の施術に応じて前記保護パッチ層２１に生じる孔は、前記マイクロニードルの除去後に閉塞されることを特徴とする一体型マイクロニードルパッチ。
【請求項４】
前記有効物質は、液体状態であり、前記有効物質部３０は、上記した液体状態の有効物質がポケット３２の内部に密封されてこもった形態であることを特徴とする請求項３に記載の一体型マイクロニードルパッチ。
【請求項５】
皮膚刺入のためのマイクロニードル１２の配列、及び前記マイクロニードル１２の配列を支持するニードルベース１１を含むニードル部１０と、
薬物又は機能性化粧品でできた有効物質を含む有効物質部３０と、
前記有効物質部３０を包み込んで外部から施術後の皮膚を保護する保護パッチ層２１を含むパッチ部２０と、を備え、
前記有効物質部３０は、前記保護パッチ層２１を基準に、皮膚側に構成され、前記ニードルベース１１は、前記保護パッチ層２１を基準に、皮膚の反対側に構成されることにより、
前記マイクロニードル１２の皮膚刺入の施術後に、前記ニードル部１０は、前記パッチ部２０から分離することができ、
前記のパッチ部２０は、
前記保護パッチ層２１と前記有効物質部３０との間で、又は前記保護パッチ層２１の表面に形成され、前記マイクロニードルの皮膚刺入の施術によって生じる孔が、前記マイクロニードルの除去後に閉塞され、前記有効物質の外部漏れを遮断する密封層２３をさらに含むことを特徴とする一体型マイクロニードルパッチ。
【発明の詳細な説明】
【技術分野】
【０００１】
本発明は、一体型で構成されるマイクロニードルパッチに関し、医学的な用途又は美容的な用途を有するマイクロニードルパッチに関する。
【背景技術】
【０００２】
マイクロニードルで開けた微細孔を通して有効成分を、より簡単に皮膚の中に浸透するように、皮膚吸収率を高めるマイクロニードル又はマイクロニードルパッチに関する技術が知られている。
【０００３】
図１は、一般的なマイクロニードルパッチ（micro  needle  patch）の主な構成を示す斜視図である。
【０００４】
微細な針の形態の多数のマイクロニードル１は、基底部２によって固定され、基底部２は、付着バンド３に固定され、付着バンド３によって皮膚に付着され、このようなマイクロニードル１が皮膚の中に有効成分を伝達する通路を作ってくれる。
【０００５】
最近、マイクロニードルパッチの技術開発の方向は、マイクロニードル（以下、「ニードル」とも称される）そのものに有効成分を含むようにするのに焦点を合わせている。
【０００６】
特許文献１の技術的内容によると、マイクロニードル形状の生体適合性マトリックスの表面上に又は内部の少なくとも一部に多孔性粒子が提供されることで、多孔性粒子の増加された表面積により効能が最適化されたフィラーを供給するマイクロニードル技術が開示されている。
【０００７】
また、特許文献２の技術によると、ニードルボディの表面に薬物が伝達される流路を確保し、材料の長所を活用して、薬物の捕集及び薬物の伝達効率を向上させることができる多孔性コーティング層がコーティングされたマイクロニードル技術が開示されている。
【０００８】
このためには、多孔性コーティング層がコーティングされたマイクロニードルは、表皮層を貫通する剛性を有するニードルボディ、及びニードルボディを包み込むようにコーティングされるコーティング層を含み、ニードルボディは、金属又はシリコンを含む高剛性材料からなり、コーティング層には薬物が充填されるように、多数の連通孔が陥没又は貫通形成され、多数の連通孔は、相互連通されて薬物の移動経路を形成する事項を開示する。
【０００９】
特許文献２のようにニードルの有効物質に加えて、高剛性材料でニードルの骨組み（ニードルボディ）を構成してニードルの強度が強くなるようにする場合には、マイクロニードルパッチを付着してからニードルの骨組みの部分が皮膚の中で溶けずに残存し続けるため、利用者の動きに応じて、皮膚内でさっと刺さる感じを与えるなどの使用感が良くない問題がある。
【００１０】
このように刺さる感じが出ないように使用感を良くするためには、特許文献１のようにニードル部分が体温などによって完全に溶けるタイプが好ましい。
【００１１】
しかし、ニードルが溶けるタイプは、他の問題があるが、まず、有効成分としてニードルそのものを構成しようとしたが、その製造技術が非常に難しくて有効成分の物性に制約が存在する。
【００１２】
また、ニードルそのものを有効成分で構成する場合には、ニードルの強度が弱く、皮膚にマイクロニードルパッチを付着する過程において、ニードル、特にその尖端部分が折れて、有効成分の浸透のためにはさほど役に立たない問題がある。また、モールド方式で有効成分のマイクロニードルを成形するためには、加熱が必要だが、このときに有効成分に良くない影響を与える問題がある。
【００１３】
以上、従来技術の問題点及び課題に対して説明したが、これらの問題点及び課題に対する認識は、本発明の技術分野における通常の知識を有する者（当業者）にとって自明ではない。
【先行技術文献】
【特許文献】
【００１４】
【特許文献１】韓国登録特許第１０−１６１８５２３号公報
【特許文献２】韓国登録特許第１０−１７４６０２４号公報
【発明の概要】
【発明が解決しようとする課題】
【００１５】
本発明の目的は、強度が高いニードルをいくらでも構成することができながらも、付着後に、刺さる感じなどが全くない一体型マイクロニードルパッチを提供することにある。
【００１６】
また、本発明の他の目的は、有効成分の物性に制約なしに、多様な物性の有効成分を構成することができる一体型マイクロニードルパッチを提供することにある。
【課題を解決するための手段】
【００１７】
本発明による一体型マイクロニードルパッチは、皮膚刺入のためのマイクロニードル１２の配列、及び前記マイクロニードル１２の配列を支持するニードルベース１１を含むニードル部１０と、薬物又は機能性化粧品でできた有効物質を含む有効物質部３０と、前記有効物質部３０を包み込んで外部から施術後の皮膚を保護する保護パッチ層２１を含むパッチ部２０と、を備え、
前記有効物質部３０は、前記保護パッチ層２１を基準に、皮膚側に構成され、前記ニードルベース１１は、前記保護パッチ層２１を基準に、皮膚の反対側に構成されることにより、前記マイクロニードル１２の皮膚刺入の施術後に、前記ニードル部１０は、前記パッチ部２０から分離され得ることを特徴とする。
【００１８】
上記した一体型マイクロニードルパッチにおいて、前記ニードルベース１１と前記保護パッチ層２１との間に介在されて前記マイクロニードル１２の配列を取り囲む形態で、前記マイクロニードル１２の配列を保護し、前記ニードル部１０を押したときに、圧縮されるか、倒れて高さが低くなる緩衝部４０をさらに含むことを特徴とする。
【００１９】
上記した一体型マイクロニードルパッチにおいて、前記ニードルベース１１と前記緩衝部４０を接着させる第１の接着部５１、及び前記緩衝部４０と前記保護パッチ層２１を接着させる第２の接着部５２をさらに含み、前記第１の接着部５１による接着力は、前記第２の接着部５２による接着力よりも強くして、上記したニードル部２０の分離時に、前記緩衝部４０がともに分離されるようにすることができる。
【００２０】
上記した一体型マイクロニードルパッチにおいて、前記パッチ部２０には、前記の保護パッチ層２１の表面に、前記有効物質部３０を取り囲む位置で皮膚との粘着のために、前記保護パッチ層２１の表面に構成される粘着層をさらに含み得る。
【００２１】
上記した一体型マイクロニードルパッチにおいて、前記マイクロニードルの皮膚刺入の施術に応じて前記保護パッチ層２１に生じる孔は、前記マイクロニードルの除去後に、閉塞されることを特徴とする。
【００２２】
上記した一体型マイクロニードルパッチにおいて、前記有効物質は、液体状態であり、前記有効物質部４０は、上記した液体状態の有効物質がポケット３２の内部に密封されてこもった形態であることを特徴とする。
【００２３】
上記した一体型マイクロニードルパッチにおいて、前記パッチ部２０は、前記保護パッチ層２１と前記有効物質部３０との間に、又は前記保護パッチ層２１の表面に形成され、前記マイクロニードルの皮膚刺入の施術によって生じる孔が、前記マイクロニードルの除去後に、閉塞されて前記有効物質の外部漏れを遮断する密封層２３をさらに含み得る。
【発明の効果】
【００２４】
本発明は、強度の高いニードルをいくらでも構成することができながらも、付着後に、刺さる感じなどが全くない一体型マイクロニードルパッチを提供することができる。
【００２５】
従来技術では、マイクロニードル溶解されるようにするか、剛性を有するマイクロニードルが施術後に残って刺さる感じの問題があったが、本発明によると、マイクロニードルの皮膚刺入の施術後にニードル部をパッチ部から容易に分離させることができ、施術後に剛性を有するマイクロニードルも完全に除去することができる。
【００２６】
また、従来の技術によると、有効成分が液体状態である場合、マイクロニードルパッチに構成することが困難であったが、本発明は、液状の物性を有する有効成分をマイクロニードルパッチに適用することが簡単になる。
【図面の簡単な説明】
【００２７】
【図１】一般的なマイクロニードルパッチの主な構成を示す斜視図である。
【図２】第１の実施形態によるマイクロニードルパッチの構造を示す断面図である。
【図３】本発明の第２の実施形態によるマイクロニードルパッチの構造を示す断面図である。
【図４】本発明の変形例によるマイクロニードルパッチの構造を示す断面図である。
【図５】本発明のマイクロニードルパッチを使用して施術する過程を示す図面である。
【発明を実施するための形態】
【００２８】
添付した図面を参考にして、本発明の実施形態に対して本発明が属する技術分野における通常の知識を有する者（当業者）が容易に実施できるように詳しく説明する。しかし、本発明は、様々な異なる形態に実装され得、ここで説明する実施形態に限定されない。そして図面において本発明を明確に説明するために説明と関係ない部分は省略しており、明細書全体を通して類似する部分に対しては、類似の名称と参照符号を使用する。
【００２９】
図２は、本発明の第１の実施形態によるマイクロニードルパッチの構造を示す断面図である。
【００３０】
図２では、説明の便宜のために、左右のサイズに比べて上下のサイズ（高さ）が誇張して図示された。
【００３１】
マイクロニードルパッチを上から見ると（平面図上から見れば）多様なサイズと外観を有し得るために、目の下、口の周り、腕、手、肩、腹部などのその適用部位のサイズ、屈曲及び形状に合わせられた模様になる。例えば、目の下に付ける場合には、図１に示す外観を有し得る。
【００３２】
本発明の第１の実施形態によるマイクロニードルパッチは、ニードル部１０と、パッチ部２０と、有効物質部３０と、緩衝部４０と、接着層（５１、５２）と、を備える。
【００３３】
ニードル部１０は、皮膚刺入のためのマイクロニードル１２の配列、及びマイクロニードル１２の配列を固定して支持する平板型のニードルベース１１を含む。マイクロニードル１２は、先のとがった円錐形状又はとがった多角の円錐形状であり得る。
【００３４】
アレイに配列されるマイクロニードル１２は、約０.２５ｍｍ内外の高さを有する金属又はプラスチックである。マイクロニードル１２とニードルベース１１は、プラスチック素材で射出成形される一体型構造であるか、金属素材でできたマイクロニードル１２がプラスチック素材でできたニードルベース１１によって固定された形態であり得る。
【００３５】
ニードル部１０は、刺入施術後にニードル部１０を引いて、パッチ部２０から離隔して除去することができ、ベース突出部１３は、ニードルベース１１から突出し、ニードル部１０を引いてニードル部１０を、パッチ部２０から離隔させるときのつまみとして利用され得る。併せて、両端のベース突出部１３から延長して相互連結されるブリッジなどを形成することにより、離隔の除去時に使用される構造物をさらに形成することもできる。
【００３６】
図面上のマイクロニードル１２の先端は、保護パッチ層２１の外側に存在すると図示されたが、マイクロニードル１２の先端が保護パッチ層２１に存在するか、有効物質部３０に存在するか、それとも有効物質部３０の下に降りているように構成されることも有り得る。このとき、緩衝部４０の高さを異に設計する方法により、これを容易に達成することができる。
【００３７】
パッチ部２０は、保護パッチ層２１及び粘着層２２を含み込み、刺入施術後に有効物質部３０を包み込んだ状態で刺入施術部の皮膚を覆って（カバーして）皮膚に固定され、有効物質の外部流出を防止し、刺入孔の傷がある皮膚層を感染などから保護する。
【００３８】
保護パッチ層２１は、有効物質を含む有効物質部３０を覆って包み込んで外部から施術後皮膚を保護し、ハイドロコロイドなどの一般のパッチやバンドで使用できる多様な素材を選択することができ、皮膚の表面の屈曲に合わせて簡単に曲がることができる素材である。
【００３９】
粘着層２２は、保護パッチ層２１の表面に有効物質部３０を、平面上から見て、取り囲む位置で皮膚との粘着のために保護パッチ層２１の表面に構成される。施術後に、粘着層２２の粘着力により皮膚に固定され、有効物質が、平面上から見て、漏出されないようにする。
【００４０】
マイクロニードル１２の皮膚刺入の施術に応じて保護パッチ層２１には、マイクロニードル１２によって孔（ホール）が生じるだろう。保護パッチ層２１でこのように生じる孔が、マイクロニードル１２の除去後に、完全に閉塞されない可能性もあるが、閉塞されることが、より選好され得る。
【００４１】
有効物質部２０は、薬物又は機能性化粧品でできた有効物質のみを含むか、このような有効物質に他の物質や構造物が加えられるものであり得る。有効物質は、皮膚刺入時に生体組織内で生分解可能又は溶解可能なものであって、代表的にヒアルロン酸（hyaluronic acid：HA）が使用され、その他、キトサン（chitosan）、コラーゲン（collagen）、ゼラチン（gelatin）、アルギン酸、ペクチン、カラギーナン、コンドロイチン硫酸、デキストラン硫酸、ポリリジン（polylysine）、カルボキシメチルキチン、フィブリン、アガロース、プルル、及びセルロースの中の少なくともいずれか１つであるか、これらを複合的に含むものであり得る。
【００４２】
本発明の第１の実施形態によるマイクロニードルパッチにおいて、有効物質部に含まれる有効な物質は、固体状態のものが選好されるし、皮膚に接触して皮膚からの水分及び/又は体温を受けると、溶解されるタイプが選好される。
【００４３】
有効物質部３０は、保護パッチ層２１を基準に、当然皮膚の方に構成され、特異的にニードル部１０のニードルベース１１は、保護パッチ層２１を基準に、皮膚の反対側に構成される。ニードル部１０のマイクロニードル１２は、図示されたように、保護パッチ層２１を基準に、皮膚の反対側に構成されるが、場合によっては、マイクロニードル１２の先端で穿孔されて、保護パッチ層２１や有効物質部３０まで入ることもできる。しかし、いずれの場合にもニードル部１０の構成要素のうちの少なくともニードルベース１１は、保護パッチ層２１を基準に、皮膚の反対側に構成される。
【００４４】
したがって、マイクロニードル１２の皮膚刺入の施術後に、ニードル部１０は、パッチ部２０から容易に分離することができることを１つの特徴とする。
【００４５】
従来技術によると、ニードルベース１１に対応する構成要素が、すべて保護パッチ層２１を基準に皮膚側に（即ち、保護パッチ層２１の内側に）ニードルベース１１に対応する構成要素を包み込む形態のため、ニードルベースを除去することが不可能であるか、非常に不便である。
【００４６】
これにより、従来技術では、マイクロニードルが溶解されるようにするか、剛性を有するマイクロニードルが施術後に残って刺さる感じの問題が存在したが、本発明によると、施術後に剛性を有するマイクロニードルも完全に除去することができる効果がある。
【００４７】
緩衝部４０は、ニードルベース１１と保護パッチ層２１との間で介在され、平面上から見て、マイクロニードル１２の配列を取り囲む形態であるが、フェンスの形でマイクロニードル１２の配列を保護し、ニードル部１０を押したときに、圧縮されるか又は倒れながらその高さが低くなって、マイクロニードル１２で皮膚に十分な深さの刺入孔をあけることができるようにする。
【００４８】
緩衝部４０は、スタイロフォーム（発泡スチロール）、ゴム又は紙などの素材で構成され得、図面の断面構造は、長方形のものとして単純に図示されたが、これとは異なり詳しく見ると、その断面構造がジャバラ形態、多孔質構造、ハチの巣の形態、又は外側に折れたクランプの形態などの多様な形態を有することもできる。
【００４９】
緩衝部４０は、素材そのものとしての、又は上記した構造を有することにより、少なくとも上下方向の弾性を有し、外力によって変形可能になるようにできる。
【００５０】
緩衝部４０は、製品出荷時及び製品保管時には、ニードル部１０を支持し、ニードル部１０がパッチ部２０に結合されて維持され得るようにしつつ、刺入施術のときには、ニードルベース１１によって押されながら圧縮されるか、倒れてマイクロニードル１２の先端が、保護パッチ層２１、有効物質部３０、及び皮膚を穿孔して入ることを許容する。
【００５１】
緩衝部４０の上下の両面には、ニードル部１０とパッチ部２０との接着固定のために接着部（５１、５２）が構成されが、第１の接着部５１は、ニードルベース１１と緩衝部４０を接着させるように緩衝部４０の一面側に形成され、第２の接着部５２は、緩衝部４０と保護パッチ層２１を接着させるように緩衝部４０の他面に形成される。
【００５２】
そして、第１の接着部５１による接着力は、第２の接着部５２による接着力よりも強くして、ニードル部２０の分離時に、前記緩衝部４０がともに分離されるようにするのが好ましい。
【００５３】
マイクロニードルパッチにおいて、有効物質部３０及び/又は粘着層２２の露出表面には、これらをカバーするカバーシート（図示せず）が、さらに有り得る。また、マイクロニードルパッチは、図示しないケースに収納された状態で製造及び流通され得る。
【００５４】
図３は、本発明の第２の実施形態によるマイクロニードルパッチの構造を示す断面図である。
【００５５】
第２の実施形態の構造は、第１の実施形態の構造と非常に類似するため、類似の部分の説明は省略し、異なる部分を中心に説明する。
【００５６】
第２の実施形態において、有効物質３１は液体の状態であり、有効物質部４０は、上記した液体状態の有効物質３１がポケット３２の内部に密封されてこもった形態である。ポケット３２は、ビニールなどの樹脂流の平板型ポケットで構成され得、液体状態の有効物質を注入した後に、注入用開口部を密封するか、又はボンディングするなどの方法で、ポケット３２は、密封状態で有効物質を保管することができる。
【００５７】
医薬用物質又は化粧品は、液体状態である場合も多いが、従来技術によると、有効成分が液体状態である場合には、マイクロニードルパッチとして使用することが困難であった。しかし、本発明の第２の実施形態によるマイクロニードルパッチで構成すれば、液状の物性を有する有効成分をマイクロニードルパッチに適用することが簡単になる効果がある。
【００５８】
図４は、本発明の変形例によるマイクロニードルパッチの構造を示す断面図である。
【００５９】
変形例の構造は、第２の実施形態又は第１の実施形態の構造と非常に類似するため、類似の部分の説明は省略し、異なる部分を中心に説明する。
【００６０】
変形例では、パッチ部２０が密封層２３をさらに含むが、密封層２３は、保護パッチ層２１と有効物質部３０との間（図４参照）、又は保護パッチ層２１の皮膚の反対側の表面に結合状態に形成され、マイクロニードルの皮膚刺入の施術に応じて密封層２３に生じる孔がマイクロニードルの除去後に、完全に閉塞される物質が選択され、これに応じて有効物質、特に液状の有効物質の外部漏れを遮断する。
【００６１】
密封層２３には、ゴムをベースとする多様な物質が選択され得、保護パッチ層２１が有効物質の外部漏れを防止することができないか、又は不足しているときに特に有用である。
【００６２】
図５は、本発明のマイクロニードルパッチを使用して施術する過程を示す図面である。
【００６３】
図５では、本発明の第１の実施形態によるマイクロニードルパッチを基準に示したが、他の実施形態のマイクロニードルパッチでもほぼ同様である。
【００６４】
図５Ａに示すように、施術施行者又は利用者は、施術しようとする皮膚部位にマイクロニードルパッチの下面を差しつけた状態でニードル部１０を押して、マイクロニードル１２の先端で保護パッチ層２１と有効物質部３０を貫いて皮膚６０に刺入孔６１をあけるようにする。このとき、マイクロニードルパッチの緩衝部４０は、圧縮されるか、倒れてその高さが低くなる。この過程で、マイクロニードルパッチの粘着部２２によって保護パッチ層２１は、ある程度皮膚６０に粘着される。
【００６５】
皮膚６０に望みの深さの刺入孔６１を形成した後に、例えば、片手で保護パッチ層２１の露出されたエッジ部を押した状態で、もう一方の手でニードル部１０、例えば例えばニードル部１０のベース突出部１３をつかんでニードル部１０を、パッチ部２０から分離して除去することができ、図５Ｂは、このようにニードル部１０を除去した状態を示した図面である。その後、パッチ部２０を押して粘着部２２による皮膚の粘着をより確実にすることもできる。
【００６６】
そして、図５Ｃに示すように、時間がたつにつれ、皮膚の体温及び/又は水分によって固体状態の有効物質は溶けるようになり、溶けた有効物質３３は、刺入孔６１を通して皮膚の内側に、つまり真皮に向かって拡散される。
【００６７】
そして有効物質部３０が、第２の実施形態（図３参照）又は変形例（図４参照）のように液状の有効物質を入れたポケット形態の場合には、マイクロニードル１２が配列された位置ごとにマイクロニードル１２の先端がポケットの両面に孔を開けるようになる。
【００６８】
このとき、ポケットの両面の中で、皮膚の反対側の孔を通して出る液状の有効物質は、閉塞された保護パッチ層２１や閉塞された密封層２３によって遮断されるが、皮膚側の孔を通して出る液状の有効物質は、刺入孔６１を迅速に満たすようになって、これによってより迅速に、皮膚に深く浸透できるようになる。
【図１】
2021511082.tif 000003
【図２】
2021511082.tif 000004
【図３】
2021511082.tif 000005
【図４】
2021511082.tif 000006
【図５】
2021511082.tif 000007
【国際調査報告】
2021511082.tif 000008
2021511082.tif 000009
2021511082.tif 000010
2021511082.tif 000011